(57)【要約】  通信方法は、データ端末（ＤＴ）へのまたは音声端末（ＳＴ）への少なくとも１つのモバイル通信ネットワーク（ＰＬＭＮ）を介したデータ接続または呼接続をセットアップするのに適切であり、ホストのホストサーバ（ＨＳ）との無線通信に適切である、ユーザの少なくとも１つのモバイル端末（ＭＴ）のために提供される。それによって、ａ）無線通信リンクはホストサーバ（ＨＳ）とモバイル端末（ＭＴ）との間に確立され、無線通信リンクを介して、識別データ（ＩＤ）はモバイル端末（ＭＴ）からホストサーバ（ＨＳ）に移送され、ｂ）バウチャー（ＶＲ）はホストサーバ（ＨＳ）によって作成され、ホストサーバ（ＨＳ）では、少なくとも識別データ（ＩＤ）及び時間周期（ｔＶＲ）及び好ましくはホストサーバ（ＨＳ）の識別子は登録され、ｃ）バウチャー（ＶＲ）は、モバイル端末（ＭＴ）の請求明細書を準備する、モバイル通信ネットワーク（ＰＬＭＮ）のオペレータに、またはサービスプロバイダ（ＳＰ）に伝達され、ｄ）モバイル通信ネットワーク（ＰＬＭＮ）のオペレータまたはサービスプロバイダ（ＳＰ）は、バウチャー（ＶＲ）に基づいて、バウチャー（ＶＲ）に示される時間周期（ｔＶＲ）の間に登録されたモバイル端末（ＭＴ）のデータ接続または呼接続に関する通信費を、少なくとも部分的に、ホストサーバ（ＨＳ）の識別子に割り当てられるアカウントに記入する。【選択図】図４ａ
2021516023.tif 000002
【特許請求の範囲】
【請求項１】
ユーザの少なくとも１つのモバイル端末（ＭＴ）用の通信方法であって、データ端末（ＤＴ）へのまたは音声端末（ＳＴ）への少なくとも１つのモバイル通信ネットワーク（ＰＬＭＮ）を介したデータ接続または呼接続をセットアップするのに適切であり、ホストのホストサーバ（ＨＳ）との無線通信に適切であり、
ａ）前記ホストサーバ（ＨＳ）と前記モバイル端末（ＭＴ）との間に、無線通信リンクが確立され、前記無線通信リンクを介して、識別データ（ＩＤ）は前記モバイル端末（ＭＴ）から前記ホストサーバ（ＨＳ）に移送されることと、
ｂ）前記ホストサーバ（ＨＳ）はバウチャー（ＶＲ）を作成し、前記ホストサーバ（ＨＳ）では、少なくとも前記識別データ（ＩＤ）及び時間周期（ｔＶＲ）及び好ましくは前記ホストサーバ（ＨＳ）の識別子が登録されることと、
ｃ）前記バウチャー（ＶＲ）は、前記モバイル端末（ＭＴ）の請求明細書を準備する、前記モバイル通信ネットワーク（ＰＬＭＮ）のオペレータに、またはサービスプロバイダ（ＳＰ）に伝達されることと、
ｄ）前記モバイル通信ネットワーク（ＰＬＭＮ）の前記オペレータまたは前記サービスプロバイダ（ＳＰ）は、前記バウチャー（ＶＲ）に基づいて、前記バウチャー（ＶＲ）に示される前記時間周期（ｔＶＲ）の間に登録された前記モバイル端末（ＭＴ）のデータ接続または呼接続に関する通信費を、少なくとも部分的に、前記ホストサーバ（ＨＳ）の前記識別子に割り当てられるアカウントに記入することと、
を特徴とする、方法。
【請求項２】
ホストアプリケーション（ＡＰＰ−Ｈ）が実装される固定ホストサーバまたはモバイルホストサーバ（ＨＳ）及びクライアントアプリケーション（ＡＰＰ−Ｃ）が実装される前記モバイル端末（ＭＴ）はＷＬＡＮのアプリケーション層、移動無線ネットワークで通信すること、またはデータは光インターフェースを介して伝達されることを特徴とする、請求項１に記載の方法。
【請求項３】
前記ホストサーバ（ＨＳ）に伝達される前記識別データ（ＩＤ）は、
ａ）前記モバイル端末（ＭＴ）または前記ユーザに関連付けられる識別子（ＩＭＥＩ，ＩＭＳＩ）、及び／または、
ｂ）場所データまたは／またはホスト識別子、及び／または、
ｃ）前記サービスプロバイダ（ＳＰ）に割り当てられる識別子、及び／または、
ｄ）タイムスタンプ
とを含み、前記識別データ（ＩＤ）の検証または登録の後に、前記バウチャー（ＶＲ）が作成されることを特徴とする、請求項１または２に記載の方法。
【請求項４】
前記モバイル端末（ＭＴ）によってキャプチャされるラジオビーコン識別（ＢＩＤ）を伝達するラジオビーコン（ＨＢ）が提供されること、及び／または
前記モバイル端末（ＭＴ）はＧＰＳ信号を受けることと、前記モバイル端末（ＭＴ）は、前記ラジオビーコン識別（ＢＩＤ）及び／またはＧＰＳデータを前記ホストサーバ（ＨＳ）に伝達し、前記ホストサーバ（ＨＳ）は、前記モバイル端末（ＭＴ）の位置が前記ホストの既定のサービスエリア内にある場合、前記ラジオビーコン識別（ＢＩＤ）及び／またはＧＰＳデータを場所データとして使用し、前記バウチャー（ＶＲ）を作成することと、
を特徴とする、請求項１〜３のいずれか一項に記載の方法。
【請求項５】
ａ）前記ホストサーバ（ＨＳ）は、前記バウチャー（ＶＲ）を前記モバイル通信ネットワーク（ＰＬＭＮ）の前記オペレータにもしくは前記サービスプロバイダ（ＳＰ）に、個々にまたはバッチで伝達すること、または、
ｂ）前記バウチャー（ＶＲ）は、前記ホストサーバ（ＨＳ）から前記モバイル端末（ＭＴ）に、及び前記モバイル端末（ＭＴ）から前記モバイル通信ネットワーク（ＰＬＭＮ）の前記オペレータに、もしくは前記サービスプロバイダ（ＳＰ）に伝達されることを特徴とする、請求項１〜４のいずれか一項に記載の方法。
【請求項６】
前記ホストサーバ（ＨＳ）は、前記モバイル端末（ＭＴ）に電子的に記憶される購入の電子証明書等の認定書の存在の検証後に、前記バウチャー（ＶＲ）を発行することを特徴とする、請求項１〜５のいずれか一項に記載の方法。
【請求項７】
前記ホストサーバ（ＨＳ）は、前記識別データ（ＩＤ）及び／または場所データの問い合わせの繰り返し後に、好ましくは、前記時間周期（ｔＶＲ）の開始または終了に、及び／または前記ホストサーバ（ＨＳ）に割り当てられる部屋もしくはサービスエリアに入るとき及び出るとき、前記バウチャー（ＶＲ）を発行することを特徴とする、請求項１〜６のいずれか一項に記載の方法。
【請求項８】
前記ホストサーバ（ＨＳ）は、
ａ）管理コンピュータ（ＶＲ）から読み出される時間周期等の提供されるサービスに関する時間周期に従って、または、
ｂ）好ましくは前記ホストサーバ（ＨＳ）に割り当てられる部屋に入るときの前記モバイル端末（ＭＴ）のログインと、好ましくは前記ホストサーバ（ＨＳ）に割り当てられる前記部屋を出るときの前記モバイル端末（ＭＴ）のログオフとの間の時間周期に従って、または、
ｃ）前記モバイル端末（ＭＴ）の前記ユーザに関して記憶された存在時間を考慮することによって、または、
ｄ）前記モバイル端末（ＭＴ）の位置が前記ホストのサービスエリア内に位置する時間周期に従って、前記時間周期（ｔＶＲ）を定義することを特徴とする、請求項１〜７のいずれか一項に記載の方法。
【請求項９】
前記モバイル端末（ＭＴ）の前記ユーザは、前記ユーザの前記モバイル端末（ＭＴ）に、クライアントアプリケーション（ＡＰＰ−Ｃ）をダウンロード及び実装し、前記ホストサーバ（ＨＳ）のホストアプリケーション（ＡＰＰ−Ｈ）への接続を確立した後、前記モバイル端末（ＭＴ）に割り当てられる、または前記ユーザに割り当てられる前記識別子（ＩＭＥＩ，ＩＭＳＩ）等の前記識別データ（ＩＤ）を転送するとともに、前記ホストサーバ（ＨＳ）において最初のログインを行い、前記ホストサーバ（ＨＳ）は、前記ユーザまたは前記モバイル端末（ＭＴ）を登録し、登録された前記ユーザまたは登録された前記モバイル端末（ＭＴ）だけのための前記バウチャー（ＶＲ）を発行することを特徴とする、請求項１〜８のいずれか一項に記載の方法。
【請求項１０】
前記サービスプロバイダ（ＳＰ）または前記モバイル通信ネットワーク（ＰＬＭＮ）の前記オペレータは、前記バウチャー（ＶＲ）を前記モバイル端末（ＭＴ）から受信されるメッセージからを抽出することを可能にするアプリケーション（ＡＰＰ−ＳＰ；ＡＰＰ−Ｏ）を使用することを特徴とする、請求項１〜９のいずれか一項に記載の方法。
【請求項１１】
前記サービスプロバイダ（ＳＰ）または前記モバイル通信ネットワーク（ＰＬＭＮ）の前記オペレータは、前記バウチャー（ＶＲ）を受信した後、集中型ホストサーバ（ＨＳＣ）の識別子または前記ホストサーバ（ＨＳ）の前記識別子によって、前記バウチャー（ＶＲ）に示される前記時間周期（ｔＶＲ）の間に登録された前記モバイル端末（ＭＴ）のデータ接続または呼接続の前記通信費に関する請求書の受領者の識別情報を交換することを特徴とする、請求項１０に記載の方法。
【請求項１２】
前記モバイル端末（ＭＴ）の前記ユーザに割り当てられる前記識別子（ＩＭＳＩ  ＭＴ）は、前記バウチャー（ＶＲ）に示される前記時間周期（ｔＶＲ）に、前記集中型ホストサーバ（ＨＳＣ）の前記識別子（ＩＭＳＩ  Ｈ）または前記ホストサーバ（ＨＳ）の前記識別子に変換されることを特徴とする、請求項１０または１１に記載の方法。
【請求項１３】
請求項１〜１２のいずれか一項に記載の通信方法を実行するのに適切な通信システム。
【請求項１４】
データ端末（ＤＴ）へのまたは音声端末（ＳＴ）への少なくとも１つのモバイル通信ネットワーク（ＰＬＭＮ）を介したデータ接続または呼接続をセットアップするのに適切であり、クライアントアプリケーション（ＡＰＰ−Ｃ）が実装される、ユーザの少なくとも１つのモバイル端末（ＭＴ）と、ホストアプリケーション（ＡＰＰ−Ｈ）が実装される少なくとも１つのローカルホストサーバ（ＨＳ）とが提供されることと、
前記ホストアプリケーション（ＡＰＰ−Ｈ）を用いて、
ａ）識別データ（ＩＤ）は、前記クライアントアプリケーション（ＡＰＰ−Ｃ）を介して、前記モバイル端末（ＭＴ）から前記ホストサーバ（ＨＳ）に伝達でき、
ｂ）バウチャー（ＶＲ）を発行でき、前記ホストサーバ（ＨＳ）では、少なくとも前記識別データ（ＩＤ）及び時間周期（ｔＶＲ）及び好ましくは前記ホストサーバ（ＨＳ）の識別子が登録され、
ｃ）発行済の前記バウチャー（ＶＲ）は、前記モバイル端末（ＭＴ）の請求明細書を準備する、前記モバイル通信ネットワーク（ＰＬＭＮ）のオペレータに、またはサービスプロバイダ（ＳＰ）に移送可能であり、
ｄ）前記モバイル通信ネットワーク（ＰＬＭＮ）の前記オペレータの機器または前記サービスプロバイダ（ＳＰ）の機器は、前記バウチャー（ＶＲ）に基づいて、前記バウチャー（ＶＲ）に示される前記時間周期（ｔＶＲ）の間に登録された前記モバイル端末（ＭＴ）のデータ接続または呼接続に関する通信費を、少なくとも部分的に、前記ホストサーバ（ＨＳ）の前記識別子に割り当てられるアカウントに記入するように設計されていることを特徴とする、請求項１３に記載の通信システム。
【請求項１５】
前記モバイル端末（ＭＴ）によって検出されるビーコン識別書を発するＷＬＡＮビーコン（ＨＢ）（具体的には、Ｂｌｕｅｔｏｏｔｈ（登録商標）ビーコン）が提供されること、及び／または、前記モバイル端末（ＭＴ）は、ＧＰＳ信号を受信するために設計されていることとと、前記ビーコン識別書及び／またはＧＰＳデータは、前記モバイル端末（ＭＳ）から前記ホストサーバ（ＨＳ）に移送可能であり、前記ホストサーバ（ＨＳ）では、前記ビーコン識別書及び／または前記ＧＰＳデータの場所データに基づいて、前記モバイル端末（ＭＴ）に関する場所データを判定でき、判定された前記場所データに基づいて、バウチャー（ＶＲ）を発行できることとを特徴とする、請求項１３または１４に記載の通信システム。
【発明の詳細な説明】
【技術分野】
【０００１】
本発明は、通信サービスがモバイル端末のユーザに提供される通信方法及び通信システムに関する。
【背景技術】
【０００２】
最新の通信ネットワークは、加入者またはユーザが、いずれかの場所におけるそのモバイル端末から、移動無線ネットワーク（例えば、ＧＳＭ（登録商標）規格またはそれに関連するまたは拡張規格に従って動作する移動無線ネットワーク）を介して、移動無線ネットワークに直接的または間接的に接続される他の端末への呼接続またはデータ接続を確立することを可能にする。
【０００３】
ファクトシートＧＳＭ（登録商標）（連邦通信局（ＢＡＫＯＭ）、２０１５年６月、ベルン）に従って、ＧＳＭ（登録商標）システムは、元々、モバイル音声電話サービスのために設計されたものである。後で、ＧＳＭ（登録商標）規格は、新しい機能等のＨＳＣＳＤ（高速回路交換データ）、ＧＰＲＳ（汎用パケット無線サービス）（登録商標）及びＥＤＧＥ（ＧＳＭ（登録商標）エボリューションの強化データ転送速度）（登録商標）またはＬＴＥ（ロングタームエボリューション）（登録商標）によって拡張されたものである。
【０００４】
欧州特許出願公開第２０２３６７４号明細書は、移動無線ネットワークにおけるモバイル端末の移動性管理の手順を説明しており、それによって、車両内に運ばれたモバイル端末に関するハンドオーバーに関する問題を回避できる。したがって、モバイル端末は、混乱のリスクを生じることなく、多くの車両で効率的に使用できる。欧州特許出願公開第２６３１１５２号明細書は、移動無線ネットワークでモバイル端末を特定するための及び鉄道網の全車両を管理するための方法を説明している。
【０００５】
公共建物または公共場所では、モバイル端末は、多くの場合、インターネット無線ネットワーク（ＷＬＡＮ無線ローカルエリアネットワーク）を介して無料で接続できる。
【０００６】
ファクトシートＷＬＡＮ（連邦通信局（ＢＡＫＯＭ）、２０１７年３月、ベルン）は、ＷＬＡＮの技術及び規格を説明している。一般的に、ＩＥＥＥ（登録商標）８０２．１１規格を使用する。短距離及びアドホックネットワークの設定に関して、Ｂｌｕｅｔｏｏｔｈ（登録商標）規格ＩＥＥＥ８０２．１５．１は、また、定期的に施行される。
【０００７】
公共建物及び車両では、訪問客、ゲスト、及び顧客は、多くの場合、ホストによって通信サービスへのフリーアクセスが許可される。用語「ホスト」は、例えば、政府機関、公共輸送機関のオペレータ、商業用建物のオーナー、レストラン、スポーツ施設、またはオフィスビル等を含む。
【０００８】
係るＷＬＡＮネットワークの動作は、オペレータ及びユーザの利点及び不利点をもたらす。安いコストのＷＬＡＮ技術及び安いコストのコストインターネットアクセスは、オペレータに利用可能である。パスワードの受領後、ユーザは、無料でＷＬＡＮオファーを使用できる。
【０００９】
不利点は、通信サービスのオペレータまたはプロバイダは、ユーザがユーザの滞在の全期間中に、ラウンジ全体で、ＷＬＡＮにアクセスできることを確実にする必要があることである。大部屋または部屋設備及び複合ビルでは、特に、列車では、したがって、オペレータは、対応して、複雑な導入及びメンテナンスを実行する必要がある。ユーザの視点から、これは、多くの場合、ユーザが自身のサービスプロバイダから使用される接続品質をもたらさない。データ転送レートはあまりに遅くなり得る、またはネットワーク範囲は不十分であり得る。データ伝達レートは、一般的に、ＷＬＡＮに接続されるモバイル端末の数によって減少する。
【００１０】
したがって、ユーザは、通常、コストに関して最適化され、品質に関して最適化されない、オペレータまたはホストの解決策に依存せざるを得ない。技術的問題の発生は、両面で不満足である。ホストは、サービスの全パッケージに影響を及ぼすエラーメッセージ及びクレームを受信することを予想する必要がある。通信サービスを必要とするユーザは、ユーザの仕事及び商取引を効率的に実行することが可能ではない場合がある。
【先行技術文献】
【特許文献】
【００１１】
【特許文献１】欧州特許出願公開第２０２３６７４号明細書
【特許文献２】欧州特許出願公開第２６３１１５２号明細書
【特許文献３】欧州特許出願公開第１８６２５９３号明細書
【発明の概要】
【発明が解決しようとする課題】
【００１２】
したがって、本発明は、改善された通信方法及び改善された通信システムを作成する目的に基づくものである。
【００１３】
通信方法及び通信システムは、ホストが、モバイル端末を有するゲストまたはユーザに、上述の不利点がなく、通信サービスへのフリーアクセスまたはディスカウントアクセスを許可することを可能にするであろう。通信システムの動作中、ホストは、技術的質問及びエラーメッセージに直面しないであろう。ユーザは、ユーザが慣れている品質において制限がなく、他のアクティブなモバイル端末の数に関係なく、通信サービスを使用することが可能であろう。通信システムの動作中、ホストは、技術的問い合わせ及びエラーメッセージに直面しないはずである。
【００１４】
本発明に関する通信システムは単純構成を有するであろう、少ない労力で実装されるであろう。複雑な導入を回避するであろう。さらに、公衆通信システム及びそのプロトコルの変更において利点をもたらすように考慮され得る改善を提案するであろう。
【課題を解決するための手段】
【００１５】
このタスクは、請求項１及び１３に規定される特徴を有する通信方法及び通信システムによって解決される。本発明の利点をもたらす実施形態は、さらなる請求項に示される。
【００１６】
通信方法は、少なくとも１つのモバイル通信ネットワークを介したデータ端末へのまたは音声端末へのデータ接続または呼接続をセットアップするのに適切であり、ホストのホストサーバとの無線通信に適切である、ユーザの少なくとも１つのモバイル端末のために提供される。例として１つのモバイル端末を使用する本発明に関する通信システムの使用が下記に説明されているが、通信システムは、スマートフォン、タブレット、ノートパソコン等の異なる種類の任意の数のモバイル端末によって使用できる。
【００１７】
例えば、列車の乗客のモバイル端末、レストランへの訪問客のモバイル端末、展示会、オフィスビル、スポーツイベント、または公共建物は、制限なしで、本発明に関する通信システムを使用できる。
【００１８】
本発明に従って、
ａ）無線通信リンクはホストサーバとモバイル端末との間に確立され、無線通信リンクを介して、識別データはモバイル端末からホストサーバに移送され、
ｂ）バウチャーはホストサーバによって作成され、ホストサーバでは、少なくとも識別データ及び時間周期及び好ましくはホストサーバの識別子は登録され、
ｃ）バウチャーは、モバイル端末の請求明細書を準備する、モバイル通信ネットワークのオペレータに、またはサービスプロバイダに伝達され、
ｄ）モバイル通信ネットワークのオペレータまたはサービスプロバイダは、バウチャーに基づいて、バウチャーに示される時間周期中に登録されたモバイル端末のデータ接続または呼接続に関する通信費を、少なくとも部分的に、ホストサーバの識別子に割り当てられるアカウントに記入する。
【００１９】
したがって、本発明に関する通信システムは、ホストが、モバイル端末の任意のユーザ（例えば、ゲスト、特に、乗客、ビジネスパートナー、顧客、スタッフまたは訪問客）が無料のまたは少ないコストの通信サービスへのアクセスを提供することを可能にする。通信費は、十分にまたは部分的に、サービスプロバイダによる好都合な条件を交渉するホストによって負担される。
【００２０】
ユーザは、そのプロバイダの通信サービスを使用することを継続できる一方、コストはホストによって負担される。本発明の様々な構成では、ホストに関するハードウェアのコストは安くなる。本発明の特に利点をもたらす実施形態では、無線ネットワークの導入は完全になくすことができる。代わりに、識別子を送るだけで、モバイル端末と双方向に通信しないラジオビーコンを導入する。したがって、ホストは、ホストの建物、エリアにおいて、または輸送の手段で、最小コストで必要な数のラジオビーコンを導入でき、その後、さらなるハードウェア費用は必要ではない。
【００２１】
ユーザは、少ない労力でホストにログオンでき、次に、そのモバイル端末を介して、いつものように通信できる一方、コストはホストに請求される。識別データの伝達によるログインはユーザによって、または好ましくは自動的に初期化され、これにより、ユーザが必要な作業がなくなる。ホストサーバにインストールされるアプリケーションとデータを交換するアプリケーションまたはアプリケーション（ソフトウェアアプリ）のインストールが１回だけ必要である。モバイル端末のアプリケーションとホストサーバのアプリケーションとの間の短い通信は、いずれかの無線通信ネットワーク、ＷＬＡＮまたは公衆移動無線ネットワークを介して行うことができる。
【００２２】
ユーザは、例えば、移動無線ネットワークを介して、ホストのインターネットページから、アプリケーションをダウンロードし、アプリケーションをユーザのモバイル端末にインストールできる。次に、ユーザは、インストールされたアプリケーションを介して、ホストサーバと通信できる。ユーザは第１の接点でホストに登録し、ＩＭＳＩ等のユーザの識別データをホストに移送するのが好ましい。通信サービスの後の使用において、ホストは、そのオファーから利点をもたらすユーザを制御している。このプロセスは、ユーザが既に別のアプリケーションまたはホストのアプリケーションを使用しており、ユーザの識別データがそのアプリケーションに既に入力されている場合に特に容易である。
【００２３】
様々な利点をもたらす実施形態で実現できる本発明は、多くの他の利点をもたらす。
【００２４】
モバイル端末にホストによって提供されるアプリケーションを実装することによって、バウチャーの安全な作成のために、または他の目的のために使用できるホストとユーザとの間のデータ交換の拡張を行うことができる。
【００２５】
ホストは、現在のオファー及び情報をアプリケーションに提示できる。電車の乗客は、遅延の予想またはオファー（例えば、食堂車のオファー、または目的地のサービスプロバイダからのオファー）等の現在の旅行情報が提供されることができる。デパートでは、特別なアクションは、アプリケーションに伝達できる。スポーツアリーナでは、現在のスポーツ結果及び見込みの交通機関のバックグランド情報は、イベントの終了後に通信できる。
【００２６】
ホストとユーザとの間の対話を促進でき、結果的に顧客忠誠心をより強くする。例えば、アプリケーションはバウチャーの割り当てまたは時間周期の計算において考慮され得る購入品を登録するために使用できる一方、モバイル端末は無料で使用できる。輸送機関ネットワークのオペレータは、バウチャーの延長を輸送サービスの常連のユーザに割り当てることができる。
【００２７】
本発明に従ったモバイル端末にインストールされるアプリケーションは、バウチャーを発行するために使用される、またはユーザに追加の有益性をもたらす他のアプリケーションと、データを交換できる利点をもたらす。好ましい実施形態では、電子チケット発行は、本発明に従ったモバイル端末にインストールされるアプリケーションと結び付けられる。これは、ホストサーバが乗客の乗車する権利を確認した後、バウチャーが乗客または乗客のモバイル端末だけに発行されることを意味する。したがって、乗客は、通信サービスへのフリーアクセスを得るために、旅行中に、その旅行の権利を電子的に確認させることが動機付けられる。したがって、電子チケットの提示は、義務ではないが、望ましいプロセスである。これは、鉄道運営会社によって、確認プロセスを容易にするであろう。
【００２８】
モバイル端末に実装されるアプリケーションは、また、移動無線ネットワークとの接続を確立するために使用できるモバイル端末のパラメータにアクセスできるのが好ましい。例えば、要求される接続品質（ＱｏＳ）は、ホストによって規定される値に設定できる。このように、ホストはそのコストを制限できる。
【００２９】
好ましくは通信サービスへのアクセスが無料で提供される時間周期の開始に及び終了に、識別データの問い合わせの繰り返しが行われるが好ましい。この問い合わせまたは確認は、ホストサーバに割り当てられるスペースに入る及び出るときに、例えば、列車に入るとき、及び列車から出るときに目的地に到達した後に、利点をもたらし得る。ラジオビーコンを使用するとき、その識別は、ホストサーバに定期的に伝達できる。ラジオビーコンの識別は、また、ホストサーバに既知の方法で切り替わることができ、これにより、異なる識別は、問い合わせ毎に、ホストサーバに伝達できる。このように、ユーザが実際にホストのサービスを使用する及び／またはユーザが通信サービスへのフリーアクセスを受信する時間周期中、ホストのサービスエリア内に存在することが確実になる。
【００３０】
したがって、通信サービスへのフリーアクセスを許可する時間周期は、好ましくはホストサーバに割り当てられる部屋に入るときのモバイル端末のログインと、好ましくはホストサーバに割り当てられる部屋を出るときのモバイル端末のログアウトとの間の時間周期に従って定義できることで利点をもたらす。
【００３１】
代替として、通信サービスへのアクセスが無料で提供される時間周期は、ユーザによって使用されるサービスの時間周期に従って定義できる。この時間周期は、例えば、電子カレンダーまたは建物の営業時間に関する規則のセットから取得できる。ホテルの訪問客が数日間の滞在を予約する場合、通信サービスへのアクセスに関するこの時間周期は、それに応じて、引き継がれることができる。バス会社または鉄道会社の輸送会社のホストサーバは、電子時刻表から時間周期を取得できる、または必要に応じて遅延を考慮する時刻表コンピュータから時間周期を読み出すことができる。
【００３２】
時間周期は、また、モバイル端末のユーザに関して記憶された存在時間を考慮して定義できる。雇用主は、従業員の作業時間の時間周期に関する通信費を想定できる。
【００３３】
通信システムは、移動無線ネットワークにアクセスできるホストサーバ及び登録されたモバイル端末を含む。ホストサーバは、ホストの全ての必要性を範囲に含み得る。いくつかの拠点がある大企業または車両を扱う輸送会社は、セントラルホストサーバと通信する各場所で及び各車両に、少なくとも１つのホストサーバを使用するのが好ましい。セントラルホストサーバは、バウチャー発行のコーディネーションを制御し、監視し、及び安全にできる。発行されたバウチャーまたは対応する報告は、ホストサーバから、直接またはセントラルホストサーバを介して、サービスプロバイダに伝達できる。異なるサービスプロバイダは、通常、モバイル端末に割り当てられることに留意されたい。ホストは、サービスプロバイダとの契約を結び、多い通信量を考慮して、好都合な料金を交渉する。
【００３４】
セントラルホストサーバは、参照番号のリストをホストサーバと、サービスプロバイダまたはネットワークオペレータとに短時間の間隔で伝達するのが好ましい。これらのリストは、バウチャーが発行されるときに、バウチャーに個々に割り当てられ、バウチャーが課金されるとき、サービスプロバイダまたはネットワークオペレータによって確認される。このように、通信システムを安全にできる。例えば、ホストサーバが不正利用された場合、新しい参照番号はホストサーバに送信されなく、割り当てられた参照番号は無効であると宣言される。しかしながら、サービスプロバイダに届く無効な参照番号を伴うバウチャーは、ホストサーバを不正利用している人を識別するために使用され得る。
【００３５】
同様に、ホストサーバまたは必要に応じてセントラルホストサーバは、ラジオビーコンを監視できる。ラジオビーコンが不正利用された場合、その識別は無効であると宣言される。
【００３６】
サービスプロバイダまたはネットワークオペレータによってバウチャーを処理することは、比較的単純な手段で実行できる。唯一の前提条件として、サービスプロバイダまたはネットワークオペレータが、本発明に関するプロセスフローをそのプロセスフローに（具体的には、課金プロセスに）統合することが挙げられる。基本的に、課金アドレスの交換は必要である。加えて、確認を実行でき、確認書が送信される。
【００３７】
ＧＳＭ（登録商標）移動無線ネットワークにおける請求及び会計は、［４］Ｍｉｃｈｅｌ  Ｍｏｕｌｙ，Ｍａｒｉｅ−Ｂｅｒｎａｄｅｔｔｅ  Ｐａｕｔｅｔ，「Ｔｈｅ  ＧＳＭ（登録商標）  Ｓｙｓｔｅｍ  ｆｏｒ  Ｍｏｂｉｌｅ  Ｃｏｍｍｕｎｉｃａｔｉｏｎｓ」，Ｃｅｌｌ＆Ｓｙｓ  Ｖｅｒｌａｇ，１９９２，９．１．２章，５７２〜５７７ページで説明されている。それに、国際移動電話加入者識別番号（ＩＭＳＩ）が通信サービスの課金に基づくものであることが説明されている。
【００３８】
請求情報は料金センターのユーザのホームネットワークで収集され、通信費を加入者またはユーザに請求する課金センターを有するサービスプロバイダに配信される。
【００３９】
バウチャーの伝達によって、サービスプロバイダまたはネットワークオペレータは、課金アドレスを変更することがホストによって認定され、これにより、少なくとも、課金プロセスで、ユーザの識別子（例えば、ＩＭＳＩ）は、ホストの識別子またはＩＭＳＩに交換される。
【００４０】
したがって、サービスプロバイダまたはネットワークオペレータは、バウチャーと、バウチャーの有効性を確認するホストからの確認書とを必要する。バウチャー自体は、ホストの確認書を含み得、これにより、ホストは、バウチャーを後で拒否できない。バウチャーはホストのプライベートキーでサインまたはエンコードされ、公開キーを使用するサービスプロバイダによってデコードされるのが好ましい。公開キーインフラストラクチャを使用することによって、手順は単純な方法で安全にできる（［６］ＥＰ１２６３１６４Ｂ１、またはｈｔｔｐｓ：／／ｄｅ．ｗｉｋｉｐｅｄｉａ．ｏｒｇ／ｗｉｋｉ／Ｐｕｂｌｉｃ−Ｋｅｙ−Ｉｎｆｒａｓｔｒｕｋｔｕｒ参照）。
【００４１】
ホストによって、直接、または利益を受けるユーザを介して、もしくはユーザのモバイル端末を介して、サービスプロバイダに、またはネットワークオペレータに、バウチャーを伝達できる。ホストまたは適切に安全にされるバウチャーの確認書を要求し、通信サービスへのフリーアクセスの時間周期を固定するため、バウチャーは、ホストによって、サービスプロバイダまたはネットワークオペレータに直接送信されるのが好ましい。通常、通信費はサービスプロバイダによって請求されるため、バウチャーの処理は、サービスプロバイダによって直接とても容易に行われることができる。このプロセスは、ホストとサービスプロバイダとの間の通信のタイプ及びコンテンツを定義し、ネットワークのプロトコルと無関係である、単純なプロトコルに従って、ホストとサービスプロバイダとの間で対処できる。また、異なるサービスプロバイダが、この目的のために、異なるプロトコルを使用することが可能である。
【００４２】
バウチャーが移動無線ネットワーク内で処理される場合、料金センターの周辺機器の介在は最も容易なオプションである。かさねて、ホストによるバウチャーの直接移送は好ましい。ユーザまたはモバイル端末によるバウチャーの移送は、移動無線ネットワークのプロトコルの拡張によって調整できる。例えば、移動無線ネットワークにおけるモバイル端末の登録において、バウチャーの譲渡または検証を行うことができる。［４］１．３．１．７章，７１ページ「Ｓｅｃｕｒｉｔｙ  Ｆｕｎｃｔｉｏｎｓ」では、ユーザの認証は、未登録のサードパーティによるアクセスを防止するために行われることが説明される。認証の拡張の範囲内で、バウチャーを提示でき、続いて確認される。ネットワークオペレータの視点から、これは、オペレータが無効なバウチャーの責任を契約により除外できるために、リスクなしで行われることができる。いったんバウチャーを受けると、請求及び会計に関するネットワークのプロセスにおけるユーザの識別子の代わりに、ホストの識別子を使用できる。
【００４３】
下記に、本発明は、図面を参照して、より詳細に説明される。
【図面の簡単な説明】
【００４４】
【図１】地理的エリアを範囲に含むセルラー移動無線ネットワークＰＬＭＮを伴う本発明に関する通信システムであり、電車ＴＨはモバイル端末ＭＴを使用する乗客と走行し、モバイル端末ＭＴ毎に、バウチャーＶＲは、通信費を請求するときにネットワークオペレータまたはサービスプロバイダによって考慮される鉄道運営会社のホストサーバＨＳによって提供される。
【図２ａ】図１に従った通信システムであり、例えば、バウチャーＶＲはホストサーバＨＳからサービスプロバイダＳＰに直接伝達され、必要に応じて、ネットワークオペレータの料金センターＣＨＣに伝達される。
【図２ｂ】バウチャーＶＲを発行し、図２ａに示される通信システムにおけるモバイル端末ＭＴによって使用される通信サービスに関する通信費を請求するための手順である。
【図３ａ】建物ＨＨに位置する本発明に関する通信システムであり、バウチャーＶＲは、ホストサーバＨＳからモバイル端末ＭＴに伝達され、モバイル端末ＭＴから、サービスプロバイダＳＰにまたはネットワークオペレータの料金センターＣＨＣに伝達される。
【図３ｂ】バウチャーＶＲを発行し、図３ａに示される通信システムにおけるモバイル端末ＭＴによって使用される通信サービスに関する通信費を請求するための手順である。
【図４ａ】例えば、上記の図の１つに示されるような通信システムであり、ラジオビーコンＨＢが提供され、ラジオビーコンＨＢを用いて、ホストサーバＨＳにログオンするモバイル端末ＭＴの場所を判定できる。
【図４ｂ】バウチャーＶＲを発行し、図４ａに示される通信システムにおけるモバイル端末ＭＴによって使用される通信サービスに関する通信費を請求するための手順である。
【発明を実施するための形態】
【００４５】
図１は、それぞれが少なくとも１つのセルＬＡＸ〜ＺＹを有するいくつかの場所エリアＬＡ１，…，ＬＡ８，…，を有する本発明に関するセルラーモバイルネットワークＰＬＭＮの区分を示す。示される区分内で、多くの乗客がいる列車ＴＨが走行している、いくつかの交通路（具体的には、鉄道線路）が続いている。図１は、また、移動無線ネットワークＰＬＭＮの個々のユニット（すなわち、移動交換局ＭＳＣ、ホーム位置レジスタＨＬＲ、訪問客位置レジスタＶＬＲ、送受信ステーションＢＴＳならびに関連の制御ユニットＢＳＣ、及び料金センターＣＨＣ）を示す。
【００４６】
請求情報またはいわゆる配信される通信サービスの通信料は、料金センターＣＨＣで収集され、通常、通信費を加入者またはユーザに請求する課金センターを有する関連のサービスプロバイダＳＰに請求される（［４］５７５ページ参照）。
【００４７】
さらに、図１は、鉄道運営会社が乗客のモバイル端末ＭＴと無線で通信する列車ＴＨ内で少なくとも１つのホストサーバＨＳを使用して、モバイル端末ＭＴが無料の通信サービスを使用することを可能にするバウチャーＶＲを乗客に提供することを示す。これらのバウチャーＶＲは、ホストサーバＨＳから直接的にまたはモバイル端末ＭＴを介して間接的に、モバイルネットワークＰＬＭＮのインスタンス（好ましくは、料金センターＣＨＣ）に、またはサービスプロバイダＳＰに伝達される。乗客またはユーザに関して登録された（例えば、ユーザの国際移動電話加入者識別番号（ＩＭＳＩ）に割り当てた）コストは、続いて、鉄道運営会社またはホストに請求され、セントラルホストサーバＨＳＣに記録されるのが好ましい。
【００４８】
ホストサーバＨＳに関して、モバイル端末ＭＳの位置確認は特に重要である。この位置確認は、通信システムの構成から自動的にもたらし得る。ホストサーバがローカルネットワークに統合され、データをモバイル端末ＭＴと交換する場合、モバイル端末は必ずローカルネットワークのエリアにある。しかしながら、ホストサーバＨＳが移動無線ネットワークを介してデータをモバイル端末ＭＴと交換する場合、モバイル端末ＭＴの場所を判定する手段が行われるのが好ましい。この目的のために、図４ａの通信システムはラジオビーコンを使用し、ラジオビーコンは、モバイル端末ＭＴによって受信され、ホストサーバＨＳがモバイル端末ＭＴの場所を各々のラジオビーコンに割り当てることを可能にする識別子を定期的に伝達する。したがって、ホストサーバＨＳ及びモバイル端末ＭＴは、異なる場所に位置し得る。
【００４９】
図１は、バウチャーＶＲの処理が、会計処理の目的のために通常使用されるユーザのＩＭＳＩを鉄道運営会社の識別子と交換することによって、プロセスチェーン全体の範囲内の異なる場所で行うことができることを示す。続いて、未収の通信費はこの識別子を使用する鉄道運営会社に請求される。鉄道運営会社の識別子は、また、プロセスチェーン内のいずれかの他のＩＭＳＩと同じ方法で扱われる国際移動電話加入者識別番号ＩＭＳＩ（ＩＭＳＩ−Ｈ）であり得る。したがって、最小の労力で、通信システムにおいて変更を実施できる。異なる方法で及び異なる媒体を介して、バウチャーの伝達を行うことができる。
【００５０】
バウチャーを発行及び使用するための手順は４つの基本的ステップを含む（図２ｂ、図３ｂ、または図４ｂも参照されたい）。
ａ）無線通信リンクはホストサーバＨＳとモバイル端末ＭＴとの間に確立され、無線通信リンクを介して、識別データＩＤはモバイル端末ＭＴからホストサーバＨＳに伝達される。
ｂ）識別データＩＤの評価及び／または検証の後に、ホストサーバＨＳはバウチャーＶＲを作成し、ホストサーバＨＳでは、少なくともモバイル端末ＭＴの識別データＩＤ及びバウチャーＶＲの有効性を判定する時間周期ｔＶＲは登録される。ホストサーバＨＳの識別子も記録されるのが好ましい。
ｃ）作成されたバウチャー（ＶＲ）は、モバイル端末ＭＴの請求明細書を作成する、モバイル通信ネットワークＰＬＭＮのオペレータに、またはサービスプロバイダ（ＳＰ）に直接的または間接的に伝達される。
ｄ）最終的に、モバイル通信ネットワークＰＬＭＮのオペレータまたはサービスプロバイダＳＰは、バウチャーＶＲに示される時間周期ｔＶＲの間に登録されたモバイル端末ＭＴのデータ接続または呼接続に関するコストを、少なくとも部分的に、ホストサーバＨＳの識別子に割り当てられるアカウントに請求する。
【００５１】
この手順は、異なる例を参照して、下記に詳細に説明される。
【００５２】
図２ａは、第１の好ましい実施形態では、バウチャーＶＲがホストサーバＨＳからサービスプロバイダＳＰに直接伝達され、場合により、ネットワークオペレータの料金センターＣＨＣに伝達される図１の通信システムを示す。
【００５３】
図２ａは、［５］Ｂｅｒｎｈａｒｄ  Ｗａｌｋｅ，Ｍｏｂｉｌｆｕｎｋｎｅｔｚｅ  ａｎｄ  ｉｈｒｅ  Ｐｒｏｔｏｋｏｌｌｅ「Ｂａｎｄ  １，  Ｂ．Ｇ．  Ｔｅｕｂｎｅｒ  Ｖｅｒｌａｇ」（Ｓｔｕｔｔｇａｒｔ  ２０００，３．１７章，３３９〜３４１ページ）に説明されるＥＤＧＥアーキテクチャを伴う移動無線ネットワークＰＬＭを示す。ＥＤＧＥ（ＧＳＭ（登録商標）エボリューションの強化データ転送速度）アーキテクチャは、多くの場合、ＧＰＲＳアーキテクチャに対応するが、異なる変調方式を使用して、より速いデータ転送速度を達成する。ＧＳＭ（登録商標）パケットデータサービスＧＰＲＳ（汎用パケット無線サービス）は、［５］（２９４〜３２１ページ）に説明される。ネットワーク移行機能は次の３２２〜３２５ページに説明される。ＧＰＲＳのインターフェース及び基準点は、［５］（３０４ページ）に説明される。十分に既知であるＧＳＭ（登録商標）ネットワークアーキテクチャ（上記を参照）は、パケットデータサービスに関する３つのネットワーク要素によって拡張される。ゲートウェイＧＰＲＳサポートノード（ＧＧＳＮ）は、外部ネットワーク（ＩＰネットワーク／インターネット）に対するインターフェースとしての役割を果たす。サービングＧＰＲＳサポートノード（ＳＧＳＮ）はモバイル端末ＭＴの機能サポートのために使用される。全てのＧＰＲＳ関連データは、ＧＳＭ（登録商標）−ＨＬＲのサブセットであるＧＰＲＳレジスタＧＲに記憶される。無線インターフェースＵｍを介して、モバイル端末ＭＴは、移動無線ネットワークにアクセスできる。ＧＰＲＳの実際のデータトラフィックはＳＧＳＮを介して対処され、ＭＳＣは信号送信だけのために使用される。
【００５４】
加えて、本発明に関する通信システムは、ホストサーバＨＳと、同様に、ソフトウェアアプリケーションと、アプリケーションまたはホストサーバＨＳに実装されるアプリケーションＡＰＰ−Ｈと、モバイル端末ＭＴにインストールされるアプリケーションＡＰＰ−Ｃとを含む。バウチャーＶＲを受信及び使用するために、アプリケーションＡＰＰ−ＳＰは、サービスプロバイダＳＰにおいて、好ましくは、課金センターにおいて実装される。バウチャーＶＲがネットワークオペレータによって受信され、例えば、料金センターＣＨＣで使用される場合、アプリケーションＡＰＰ−ＣＨＣはそこで提供される。
【００５５】
ＭＴモバイル端末は、電車ＴＨの乗客によって、または駅のレストランで使用できる。したがって、ユーザのラウンジは移動式または固定式であり得る。したがって、（固定式または移動式）ホストサーバＨＳは、ホストまたは鉄道運営会社の部屋ユニットＨＥに位置する。部屋ユニットＨＥ内に位置するモバイル端末ＭＴは、アプリケーションＡＰＰ−Ｃ及びＡＰＰ−Ｈを介して、例えば、ＷＬＡＮまたはＢｌｕｅｔｏｏｔｈ（登録商標）を介して、ホストサーバＨＳと無線で連絡及び通信できる。
【００５６】
最初に、移動無線ネットワークにおけるモバイル端末の位置を特定するための手順は、欧州特許出願公開第２６３１１５２号明細書から既知であることを言及した。
【００５７】
鉄道運営会社が時刻表及び購入チケットを読み出すために使用できるアプリケーションまたはモバイル端末ＭＴのためのアプリケーションを既に提供していることは十分に既知である。したがって、本発明に関するアプリケーションＡＰＰ−Ｃは、係る既知のアプリケーションの追加モジュールであるのが好ましい。チケットを購入するために、ユーザは既に鉄道運営会社に登録されている。したがって、ユーザの識別データは、移動無線ネットワークＰＬＭＮのホーム位置レジスタＨＬＲ及び鉄道運営会社のデータベースに登録される。以下の例に関して、ホーム位置レジスタＨＬＲに登録される識別情報（すなわち、ＩＭＳＩ）を使用されるが好ましい。代替として、鉄道運営会社に登録される識別情報を使用し得る。
【００５８】
ホストサーバＨＳは、移動式または固定式及び集中式または非集中式であり得る。加えて、いくつかのホストサーバは、建物または列車で提供でき、例えば、本発明に関する手順に従って個々に動く。
【００５９】
ホストサーバは、例えば、制御デバイスに統合でき、制御デバイスを用いて、電車乗組員はチケットを確認する。チケットを確認するとき、モバイル端末から識別データを読み取ることができ、バウチャーを作成できる。チケット制御によって、通信サービスの無料使用の割当は同時に行うことができる。これは、付加的な労力なしで、鉄道運営会社及び乗客に特別な利点をもたらす。
【００６０】
ホストサーバＨＳとモバイル端末ＭＴとの通信中に、有効な識別情報は読み出され、バウチャーＶＲに含まれる。加えて、バウチャーＶＲが有効である時間周期ｔＶＲを判定する。この時間周期ｔＶＲを判定するための方法は、上記に説明されている。
【００６１】
上記に説明した実施形態では、ＨＳホストサーバは、ＭＴモバイル端末が鉄道車両の内側に位置し、ひいては、無料の通信サービスを受信する権利があることを認知する。モバイル端末ＭＴの場所が非集中様式で位置し得るホストサーバに既知ではない場合、例えば、下記に説明される手順に従って判定される。また、移動無線ネットワーク内の位置特定は、それが十分に正確である場合に可能である。
【００６２】
作成されたバウチャーＶＲまたは作成されたバウチャーＶＲのリストは、公開キーインフラストラクチャのプライベートキーを使用する鉄道運営会社によってサインされるのが好ましい（図２ｂ参照）。プライベートキーを使用するバウチャーＶＲをデコードすることによって、サービスプロバイダＳＰまたは料金センターＣＨＣは、続いて、バウチャーＶＲが有効であるかどうかを判定できる。
【００６３】
この例では、バウチャーＶＲは、移動無線ネットワークＰＬＭＮの料金センターＣＨＣまたは好ましくはサービスプロバイダＳＰの課金センターのいずれかに伝達される。バウチャーＶＲの確認コピーは、モバイル端末ＭＴに伝達され、そこで記憶される。したがって、ユーザは、請求が実際に時間周期ｔＶＲに行われたことを後で確認できる。サービスプロバイダＳＰの料金センターＣＨＣまたは課金センター内では、モバイル端末ＭＴに関する時間周期ｔＶＲ以内に登録された、登録済の通信費に関する課金アドレスは、ホストまたは鉄道運営会社のアカウントに変更される。
【００６４】
図２ａは、対応するインボイス＜ｂｉｌｌＨＳＣ＞がセントラルホストサーバＨＳＣに伝達されることを示す。随意のセントラルホストサーバＨＳＣは、バウチャーＶＲの割り当て、移送、及び課金を管理するのが好ましい。ホストサーバＨＳによって発行されたバウチャーＶＲは、セントラルホストサーバＨＳＣに伝達できる。次に、セントラルホストサーバＨＳＣは、移動無線ネットワークＰＬＭＮの料金センターＣＨＣに適切な場合、全てのバウチャーＶＲを収集し、随意にプライベートキーでサインされたバウチャーＶＲを規則正しい様式でサービスプロバイダＳＰにバウチャーＶＲを伝達する。
【００６５】
配信されたバウチャーＶＲを検証するために、セントラルホストサーバＨＳＣは、ホストサーバＨＳが個々にバウチャーＶＲに入力する連続番号ＶＲｒを発行するのが好ましい。したがって、これらの連続番号ＶＲｒも伝達するセントラルホストサーバＨＳＣまたはサービスプロバイダＳＰは、バウチャーＶＲが有効であるかどうかを確認できる。セントラルホストサーバＨＳＣと、ホストサーバＨＳと、さらには、サービスプロバイダＳＰとの間の通信は、いずれかの通信ネットワークを介して、携帯電話ネットワークＧＳＭ（登録商標）／ＧＳＭ（登録商標）−Ｒを介して、またはインターネットを介して行うことができる。
【００６６】
バウチャーＶＲまたは対応する確認ＶＲの受領後、モバイル端末ＭＴのユーザは、通信ネットワークＰＬＭＮの通信サービスを使用して、サードパーティＤＴ，ＳＴに対するデータ接続または音声接続を確立できる。
【００６７】
対応する使用料ＴＴは、交換局（Ｇ）ＭＳＣから料金センターＣＨＣに移送され、料金センターＣＨＣによって、サービスプロバイダＳＰに、またはセントラルホストサーバＨＳＣに直接、インボイス＜ｃｈａｒｇｅ  ＳＰ＞が伝達される。料金センターＣＨＣでは、またはサービスプロバイダＳＰでは、課金アドレスは上記に説明したように変更される。続いて、サービスプロバイダＳＰは、インボイス＜ｂｉｌｌ  ＨＳＣ＞をセントラルホストサーバＨＳＣに送信する。
【００６８】
図２ｂは、バウチャーＶＲを発行し、図２ａに示される通信システムにおけるモバイル端末ＭＴによって使用される通信サービスに関する通信費を請求するための手順を示す。
【００６９】
随意に、セントラルホストサーバＨＳＣは、まず、バウチャーＶＲの連続番号ＶＲｒをホストサーバＨＳに伝達し、検証のためにサービスプロバイダＳＰに伝達する。
【００７０】
続いて、モバイル端末ＭＴは、例えば、Ｂｌｕｅｔｏｏｔｈ（登録商標）プロトコルに従って、または移動無線ネットワークを介して、ホストサーバＨＳに登録される。次に、データはモバイル端末ＭＴからホストサーバＨＳに伝達され、識別データＩＤは、ＩＭＳＩ（随意に、ＩＭＥＩ）と、使用されるサービスプロバイダの識別証明とを含むのが好ましい。さらに、電子チケット＜ｅＴｉｃｋｅｔ＞の存在等の認定書はクエリできる。さらに、場所データは伝達または判定できる。
【００７１】
データの検証及び許可の後、バウチャーＶＲは時間周期ｔＶＲに発行され、プライベートＰＫＩキーにサインされるのが好ましく、サービスプロバイダＳＰに伝達される。時間周期ｔＶＲは、乗客がチューリッヒからジュネーブに旅行していることを示す電子チケット＜ｅＴｉｃｋｅｔ＞によって判定される。時刻表または時刻表コンピュータＦＰＲから、旅行時間が午後１５：０３〜１７：４５であることが判定される。したがって、乗客は、旅行時間中に無料の通信サービスにアクセスできる。旅行時間は、遅延する場合、それに応じて、バウチャーＶＲを適応させるために、例えば、ホストサーバＨＳによって、またはセントラルホストサーバＨＳＣによって確認できる。
【００７２】
続いて、通信費は、通信料チケット＜ＴＴ＞を用いて料金センターに報告され、次に、料金センターは、通信費をインボイス＜ｃｈａｒｇｅ  ＳＰ＞を用いてサービスプロバイダＳＰに請求し、公開ＰＫＩキーを用いてデコードされるのが好ましい使用料及びバウチャーＶＲを確認し、インボイス＜ｂｉｌｌ  ＨＳＣ＞をホストサーバＨＳに、随意に、セントラルホストサーバＨＳＣに送信する。
【００７３】
移動無線ネットワークＰＬＭＮのモバイル端末ＭＴの登録及び接続の確立ならびに終了は、移動無線ネットワークのプロトコルに従って実行される。
【００７４】
図３ａは、建物ＨＨに導入される図１の本発明に関する通信システムであり、バウチャーＶＲは、ホストサーバＨＳからモバイル端末ＭＴに伝達され、モバイル端末ＭＴから、サービスプロバイダＳＰにまたはネットワークオペレータの料金センターＣＨＣに伝達される。次に、この伝達は、定義されたプロトコルに従って行われる。バウチャーＶＲは、移動無線ネットワークＰＬＭＮへのモバイル端末ＭＴの登録中または接続の確立中に交換されるメッセージに統合されるのが好ましい。この場合、バウチャーＶＲは、ネットワーク側でモバイル端末ＭＴのメッセージから抽出され、使用される。この目的のために、移動無線ネットワークＰＬＭＮのアーキテクチャは、料金センターＣＨＣの課金アドレスの変更をもたらすアプリケーションＡＰＰ−ＣＨＣを有するのが好ましい。代替として、バウチャーＶＲは、モバイル端末ＭＴからサービスプロバイダＳＰに伝達され、サービスプロバイダＳＰでは、アプリケーションＡＰＰ−ＳＰが実装される。モバイル端末ＭＴでは、アプリケーションＡＰＰ−ＣまたはＡＰＰ−Ｃｎは、対応する通信ネットワークＷＬＡＮ，ＰＬＭＮを介して通信を可能にするプロトコルスタックのそれぞれ、ＷＬＡＮのプロトコルスタック、及びＧＳＭ（登録商標）プロトコルスタックに提供される。
【００７５】
ＧＰＲＳプロトコルスタックは、［５］（３０８ページ）に示される。したがって、アプリケーションＡＰＰ−Ｃｎはモバイル端末のアプリケーション層に実装され、アプリケーションＡＰＰ−ＣはＳＧＳＮの追加アプリケーション層に実装されるだろう。
【００７６】
バウチャーＶＲは、また、別の方法で、モバイル端末ＭＴからサービスプロバイダＳＰまたは料金センターＣＨＣに伝達できる。例えば、バウチャーＶＲは、電子メールによって、またはショートメッセージを用いて伝達される。
【００７７】
また、図３ａは、ホストユニットＨＥが、建物ＨＨ（例えば、オフィスビル、公共建物、または公的建物）に導入されることが意図されることを示す。したがって、本発明は、全般に、任意の移動式または固定式のホストユニットＨＥに利用可能である。すなわち、図２ａ、図３ａ、及び図４ａに示される通信システムの実施形態は、随意に、建物、輸送機関の手段、または公共の場所で使用できる。本発明は、具体的には、移動ホストユニットＨＥで使用するために利点をもたらし、無料のＷＬＡＮアクセスは、多くの場合、不十分な品質を提供し、または複雑な導入を要求する。
【００７８】
図３ｂは、バウチャーＶＲを発行し、図３ａに示される通信システムにおけるモバイル端末ＭＴによって使用される通信サービスに関する通信費を請求するための手順を示す。
【００７９】
ＷＬＡＮまたは移動無線ネットワークは、モバイル端末ＭＴとホストサーバＨＳとの間でデータを交換するために使用される。バウチャーＶＲに関する時間周期ｔＶＲは、例えば、ホテルの受付においてコンピュータＲＳから読み取られることができるホテル部屋の予約の期間に従って選択される。例えば、ホテルの予約の識別データ及び認定書＜ｅＲｅｃｅｉｐｔ＞を確認した後、バウチャーＶＲが作成され、モバイル端末ＭＴに伝達され、バイル端末ＭＴから移動無線ネットワークＰＬＭＮに伝達される。時間周期ｔＶＲは、２０１８年１月２５日〜２０１８年１月３０日の予約に従って選択される。したがって、ユーザは、ユーザの予約の期間中、ユーザのサービスプロバイダＳＰの通信サービスを無料で使用できる。対応するコストは、ホテルオペレータに請求される。
【００８０】
バウチャーＶＲは、ホテルのプライベートＰＫＩキーによってサインされるが好ましい。しかしながら、ユーザがホテルの一時的なゲストだけの場合、モバイル端末ＭＴの場所は、図４ａを参照すると、下記に説明される手段を用いて判定できる。図３ａの例では、例えば、ホストサーバＨＳが、例えば、ホテルの予約に基づいて、別の方法で認定書を判定できる場合、場所データがあらゆる場合に判定される必要がないことを示される。しかしながら、この場合、バウチャーＶＲが予約及びモバイル端末ＭＴの登録を考慮して作成できるように、モバイル端末ＭＴの登録は利点をもたらす。
【００８１】
図３ａの通信システムの実施形態では、バウチャーＶＲは、ネットワークオペレータに、随意に、料金センターＣＨＣに送信される。バウチャーＶＲは、アプリケーションＡＰＰ−ＣＨＣが実装される責任能力のあるインスタンス（Ｇ）ＭＳＣまたはＳＧＳＮによって抽出される。結果として、課金アドレスは、料金センターＣＨＣにおいて通信料＜ＴＴ＞の作成中に既に変更されており、または後で変更される。ユーザのＩＭＳＩ−ＭＴは、ホストのＩＭＳＩ−Ｈに交換されるのが好ましい。変更された課金アドレスを伴うインボイス＜ｃｈａｒｇｅ  ＳＰ＞は、サービスプロバイダＳＰに、またはホストサーバＨＳに直接送信される。言及されるように、バウチャーＶＲは、また、サービスプロバイダＳＰによって処理できる。
【００８２】
図２ａ及び図４ａに示されるように、バウチャーＶＲは、また、ホテルのホストサーバＨＳからサービスプロバイダＳＰに直接伝達できる。図４ａを参照して説明されるように、時間周期ｔＶＲは、ラジオビーコンを用いて、予約によって、またはホテルにいるユーザの滞在時間によって判定できる。
【００８３】
図４ａは、具体的には、例えば、建物ＨＨ内、列車ＴＨ内、またはさらに公有地に非常に少ない労力で実装できる本発明に関する通信システムの利点をもたらす実施形態を示す。この場合、ホストサーバＨＳは、移動無線ネットワークＰＬＭＮを介して、インストールされたアプリケーションＡＰＰ−Ｃ及びＡＰＰ−Ｈのアプリケーション層のモバイル端末ＭＴと通信する。
【００８４】
したがって、ホストサーバＨＳは、例えば、鉄道運営会社の本部におけるいずれかの場所で導入できる。さらに、ユーザは建物ＨＨの訪問客または電車ＴＨの乗客であり得ることが示される。下記に、アプリケーションＡＰＰ−Ｃのインストール後、ユーザはホストサーバＨＳに登録されるのが好ましいことが説明される。続いて、通信サービスを無料使用するためのアプリケーションは、ＡＰＰ−Ｃアプリケーションを介して、ホストサーバＨＳに送信される。再度、ホストサーバは、ユーザが無料の通信サービスを受信する権利があるかどうかを確認する。これは、例えば、電子チケットの認定書を提供することによって、または、ホストのサービスエリア（すなわち、建物ＨＨ内または列車ＴＨ内）におけるモバイル端末のＭＴ場所を提供することによって行われることができる。
【００８５】
モバイル端末ＭＴが電子チケットまたは他の認定書を保持する場合、場所の判定をなくすことができる。他の認定書が存在しない場合、モバイル端末ＭＴの場所は、建物ＨＨ内または列車ＴＨ内であると判定される。これは、ＧＰＳデータを判定及び伝達することによって、または、モバイル端末ＭＴが登録される送受信ステーションＢＴＳＭＴを確認することによって行われることができる。特に利点（すなわち、簡単及び正確になる）をもたらすモバイル端末ＭＴの場所は、そのサービスエリア内（例えば、建物ＨＨ内または列車ＴＨ内）のホストによって導入されたラジオビーコンＨＢを用いて判定できる。ラジオビーコン（例えば、Ｂｌｕｅｔｏｏｔｈ（登録商標）またはＷＬＡＮラジオビーコン）は、モバイル端末ＭＴによってキャプチャされ、ホストサーバＨＳに伝達される、識別情報または識別子ＢＩＤを連続的または定期的にブロードキャストする。例えば、ラジオビーコンＨＢはバッテリによって電力供給され、メンテナンスしないで、長期間にわたってそのサービスを自律的に行うことができる。ラジオビーコンＨＢは天井または壁の上に搭載でき、ほとんどが可視ではない。したがって、最小の労力及び安いコストで、建物または列車の据え付けを行うことができる。
【００８６】
ホストサーバＨＳは、ラジオビーコンＨＢの識別情報ＢＩＤが記録されるレジスタにアクセスできる。ラジオビーコンの識別情報ＢＩＤは、ラジオビーコンＨＢが導入される車両の車両数に従って選ばれるのが好ましい。したがって、モバイル端末ＭＴは、ラジオビーコンの識別情報ＢＩＤと一緒に車両識別を伝達し、車両識別はホストサーバに既に既知である、または、ホストサーバは鉄道運営会社の全車両の在庫リストから車両識別を判定できる。ホストサーバは、例えば、鉄道網のサーバに定期的に連絡し、鉄道網の全車両を管理し、報告されたラジオビーコンの識別情報ＢＩＤによって、対応する鉄道車両の存在及び好ましくは場所を確認する。
【００８７】
具体的には、ＧＰＳデータを用いた位置特定が利点をもたらす。欧州特許出願公開第１８６２５９３号明細書から、１ｍの誤差で鉄道車両の位置を判定することを可能にする方法及びデバイスが既知である。したがって、鉄道網で旅行するルートは、オンラインで正確に判定できる、及び／またはデータベースに記憶され、再度読み出されることができる。したがって、モバイル端末によって伝達されるＧＰＳデータは、モバイル端末ＭＴが係るルートに沿って移動しているかどうかを判定するために、現在の記録または登録された鉄道網の旅行ルートのＧＰＳデータと相関関係があり得る。現在の旅行データまたは時刻表を使用して、モバイル端末ＭＴ及び列車ＨＴの移動の対応関係も確認できる。このように、最小の労力の手順で、及びハードウェア費用がなく、及び確実に、ユーザがホストのサービスを使用して、無料で通信サービスを使用する権利があるかを判定できる。
【００８８】
したがって、本発明に従って、モバイル端末ＭＴは、１回または好ましくは数回、衛星データまたはＧＰＳデータをホストサーバＨＳに伝達し、ホストサーバＨＳは、モバイル端末ＭＴのこのＧＰＳデータを、
ａ）電車の現在判定されている場所データ、及び／または
ｂ）鉄道網の登録された場所データ
と比較して、モバイル端末ＭＴのユーザが、鉄道網のルートに沿って移動する列車ＨＴにあるかどうかを判定する。
【００８９】
例えば、モバイル端末ＭＴが実際ローカルエリアで移動中であるかどうかを判定でき、現在、鉄道網に走行している列車ＨＴに対してほとんど一定に補正される。
【００９０】
ユーザがユーザのアプリケーションＡＰＰ−Ｃのユーザの旅行の目的地を入力し、それに応じて、ホストサーバＨＳに知らせる場合、現在使用されているルートへの割り当てはさらに容易である。次に、開始点はＧＰＳデータによって判定できる。したがって、旅行の出発地ならびに目的地及び現在の時間は、ホストサーバＨＳに既知である。このように、ユーザが、該当のルートを旅行していることだけではなく、また、ユーザがホストのサービス及び競合他社ではないサービスを使用していることを検証できる。例えば、２つの鉄道運営会社Ｘ，Ｙが異なる時間にＡからＢへの輸送を提供する場合、ＡからＢへの旅行を判定でき、サービスプロバイダＸまたはＹは、また、旅行の時間データ及び対応する時刻表データに基づいて判定できる。本発明に関する方法に従って、ユーザによって使用される輸送の手段または旅行ルート及び／またはサービスプロバイダを判定できる。登録後にバックグランドで起動し続けるモバイル端末ＭＴのアプリケーションＡＰＰ−Ｃは、規定のスキームに従って、またはホストサーバＨＳの要求に応じて、ＧＰＳデータを伝達でき、これにより、十分なＧＰＳデータの判定を保証する。モバイル端末の場所が一定の時間周期中にサービスプロバイダのサービスエリア内で固定している場合、これは、ＧＰＳデータを用いて正確に判定できる。したがって、通信サービスの無料使用は、ＧＰＳデータに基づく対応する移動場所または固定場所、ひいては、対応する認定書が検証されているＭＴモバイル端末に許可できる。
【００９１】
ＧＰＳデータを使用することによって、ラジオビーコンの使用を回避できる。
【００９２】
図４ｂは、バウチャーＶＲを発行し、滞在期間中の図４ａに示される通信システムにおけるモバイル端末ＭＴによって無料で使用できる通信サービスに関する通信費を請求するための手順を示す。
【００９３】
網目状の矢印によって、モバイル端末ＭＴ及びホストサーバＨＳが移動無線ネットワークＰＬＭＮを介して相互に通信することが示される。移動無線ネットワークＰＬＭＮを介して、モバイル端末ＭＴは、ホストサーバＨＳに登録される。この目的のために、ＩＭＳＩ、ＩＭＥＩ、及び責任能力のあるサービスプロバイダＳＰの識別子を伝達するのが好ましい。
【００９４】
ホストの建物ＨＨまたは列車ＴＨでは、部屋全体を範囲に含み、その識別子ＢＩＤを伴う信号を定期的に送る、多くのラジオビーコンＨＢが導入されるのが好ましい。モバイル端末ＭＴはこの識別子ＢＩＤまたは代わりにＧＰＳ信号を受信し、ラジオビーコンの識別子ＢＩＤ及び／またＧＰＳデータと一緒にその識別データＩＤをホストサーバＨＳに伝達する。
【００９５】
ホストサーバＨＳは、好ましくは数回、ラジオビーコンＨＢの伝達された識別子ＢＩＤに基づいて、またはＧＰＳデータを用いて、モバイル端末ＭＴの位置を検証し、指定エリアでの滞在の時間周期ｔＶＲに関するバウチャーＶＲを生成し、当該バウチャーＶＲは、サービスプロバイダＳＰに伝達され、好ましくはコピーでモバイル端末ＭＴに伝達される。再度、時間周期ｔＶＲは、上記に説明した手段の１つに従って判定できる。例えば、時間周期ｔＶＲは、ラジオビーコンＨＢの識別子ＢＩＤがしばらくの間（例えば、数分）モバイル端末ＭＴから伝達されなくなった後に終了する。加えて、プリ起動及び／またはポスト起動または許容範囲を提供できる。
【００９６】
識別子ＢＩＤの伝達と一緒のモバイル端末ＭＴの登録は１５：０３に行われ、ラジオビーコンＨＢの識別子ＢＩＤの伝達は１７：４５に終了することが示される。この例では、図２ａの例に説明されるように、ユーザは、この時、チューリッヒからジュネーブまで旅行する。したがって、ユーザの認定書は、ラジオビーコンＨＢの信号を処理することによって、随意に、時刻表を考慮することによって、またはチューリッヒからジュネーブへの旅行の電子チケットを確認することによって、電車ＨＴのユーザの存在に基づいて作られることができる。
【００９７】
バッテリが装備されるラジオビーコンＨＢの導入は特に容易である。代替として、ラジオビーコンＨＢは、スイッチオンまたはスイッチオフであり得る電力供給ネットワークに接続できる。電車が待避線に停上し使用中ではない場合、ラジオビーコンＨＢはスイッチオフであるのが好ましい。しかしながら、ラジオビーコンＨＢがスイッチオフではない場合、ホストサーバＨＳは、対応する列車ＴＨが動いていなく、そのラジオビーコンＨＢのＢＩＤは無料の通信サービスを受信する許可を示さないことが、全車両のプランニングから判定できる。他の好ましい実施形態では、ラジオビーコンＨＢは、無線インターフェースを介してプログラム可能であり、これにより、ＢＩＤ識別子は随意に変更できるのが好ましい。また、センサが装備され、センサ信号の存在に応じて異なるＢＩＤコードを伝達できる、インテリジェントなラジオビーコンＨＢを使用することで利点をもたらす。例えば、光信号または音響信号が長期間感知されない場合、ラジオビーコンはスリープモードの状態になる。光信号または音響信号の存在は一定間隔で確認され、ラジオビーコンはアクティブ状態にリセットされる。このように、エネルギーを保存し、バッテリを節約することが可能である。
【００９８】
ユーザがチューリッヒからジュネーブへのユーザの旅行中に使用されている通信サービスのための通信料ＴＴの収集は、続いて、料金センターＣＨＣで評価され、次に、モバイル端末ＭＴによって使用される通信サービスをホストサーバＨＳに請求するサービスプロバイダＳＰに請求されるバウチャーＶＲを考慮する。
【図１】
2021516023.tif 000003
【図２ａ】
2021516023.tif 000004
【図２ｂ】
2021516023.tif 000005
【図３ａ】
2021516023.tif 000006
【図３ｂ】
2021516023.tif 000007
【図４ａ】
2021516023.tif 000008
【図４ｂ】
2021516023.tif 000009
【国際調査報告】
2021516023.tif 000010
2021516023.tif 000011
2021516023.tif 000012
2021516023.tif 000013